(57)【要約】      （修正有）【課題】内燃機関の各気筒の点火タイミングの最適化を図る。【解決手段】各気筒のベース点火タイミングＴ１、Ｔ２、Ｔ３を設定し、各気筒の膨張行程が訪れる都度ノッキングの有無を検知し、当該気筒にてノッキングが起こった場合には増加しノッキングが起こらなかった場合には減少する各気筒毎に個別の遅角補正量Ｒ１、Ｒ２、Ｒ３をベース点火タイミングＴ１、Ｔ２、Ｔ３に加味して、当該気筒１における次回の膨張行程のための点火タイミングＳ１、Ｓ２、Ｓ３を決定する。【選択図】図２
2014109196.tif 000002
【特許請求の範囲】
【請求項１】
複数の気筒を有し排気ガス再循環装置が付帯した内燃機関を制御するものであって、
各気筒のベース点火タイミングを設定し、
各気筒のノッキングの有無を検知し、当該気筒にてノッキングが起こった場合には増加しノッキングが起こらなかった場合には減少する各気筒毎に個別の遅角補正量を前記ベース点火タイミングに加味して、当該気筒における次回の膨張行程のための点火タイミングを決定する
ことを特徴とする内燃機関の制御装置。
【発明の詳細な説明】
【技術分野】
【０００１】
本発明は、内燃機関の気筒における混合気への点火タイミングを制御する制御装置に関する。
【背景技術】
【０００２】
気筒におけるノッキングの発生を感知し、ノッキングが起こらなくなるまで点火タイミングを遅角させるとともに、ノッキングが起こらない限りにおいて点火タイミングを進角させるノックコントロールシステムが公知である（例えば、下記特許文献を参照）。
【０００３】
従来、ベース点火タイミングは、内燃機関の全気筒について共通に設定している。そのベース点火タイミングは、ノッキングを引き起こすリスクの最も大きい気筒がノッキングを起こさない限界のタイミングに設定する。さらには、ノックコントロールシステムによる点火タイミングの遅角補正量も、全気筒で同一としている。故に、各気筒の点火タイミングは恒常的に一致している。
【先行技術文献】
【特許文献】
【０００４】
【特許文献１】特開２０００−０７３８４７号公報
【発明の概要】
【発明が解決しようとする課題】
【０００５】
しかしながら、吸気の分配や混合気の燃焼の状態その他の条件は、気筒間で差がある。とりわけ、気筒の燃焼室内で発生する燃焼ガスの一部を排気通路から吸気通路へと還流させる排気ガス再循環（Ｅｘｈａｕｓｔ  Ｇａｓ  Ｒｅｃｉｒｃｕｌａｔｉｏｎ）装置が付帯した内燃機関にあっては、各気筒に充填される吸気に混入するＥＧＲガスの量が、気筒間で大きくばらつく。
【０００６】
そのため、ノッキングが起こらない限界の点火タイミングは、気筒毎で異なっている。にもかかわらず、全気筒で点火タイミングを共通化していることから、最もノッキングの起こりやすい気筒におけるノッキングを防止するべく、全気筒の点火タイミングを遅角化せざるを得ず、熱機械変換効率の低下を招くこととなっていた。
【０００７】
本発明は、内燃機関の各気筒の点火タイミングの最適化を図ることを所期の目的としている。
【課題を解決するための手段】
【０００８】
本発明では、複数の気筒を有し排気ガス再循環装置が付帯した内燃機関を制御するものであって、各気筒のベース点火タイミングを設定し、各気筒のノッキングの有無を検知し、当該気筒にてノッキングが起こった場合には増加しノッキングが起こらなかった場合には減少する各気筒毎に個別の遅角補正量を前記ベース点火タイミングに加味して、当該気筒における次回の膨張行程のための点火タイミングを決定することを特徴とする内燃機関の制御装置を構成した。
【発明の効果】
【０００９】
本発明によれば、内燃機関の各気筒の点火タイミングの最適化を図り得る。
【図面の簡単な説明】
【００１０】
【図１】本発明の一実施形態における内燃機関の概略構成を示す図。
【図２】同実施形態の制御装置が各気筒毎の点火タイミングを決定する手法を説明する図。
【図３】本発明の一変形例に係る制御装置が各気筒毎の点火タイミングを決定する手法を説明する図。
【発明を実施するための形態】
【００１１】
本発明の一実施形態を、図面を参照して説明する。図１に、本実施形態における車両用内燃機関の概要を示す。本実施形態における内燃機関は、火花点火式の４ストロークガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１２】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１３】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１４】
本実施形態の内燃機関には、外部ＥＧＲ装置２が付帯している。外部ＥＧＲ装置２は、いわゆる高圧ループＥＧＲを実現するものであり、排気通路４における触媒４１の上流側と吸気通路３におけるスロットルバルブ３２の下流側とを連通するＥＧＲ通路２１と、ＥＧＲ通路２１上に設けたＥＧＲクーラ２２と、ＥＧＲ通路２１を開閉し当該ＥＧＲ通路２１を流れるＥＧＲガスの流量を制御するＥＧＲバルブ２３とを要素とする。
【００１５】
ＥＧＲ通路２１の入口は、排気通路４における排気マニホルド４２またはその下流の所定箇所に接続している。そして、ＥＧＲ通路２１の出口は、吸気通路３におけるスロットルバルブ３２の下流の所定箇所、具体的にはサージタンク３３に接続している。故に、全ての気筒１に分配されるべきＥＧＲガスは、一旦サージタンク３３に流入した後、吸気マニホルド３４を経由して各気筒１に向かうこととなる。
【００１６】
内燃機関の運転制御を司る制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００１７】
入力インタフェースには、車両の実車速を検出する車速センサから出力される車速信号ａ、クランクシャフトの回転角度及びエンジン回転数を検出するエンジン回転センサから出力されるクランク角信号（Ｎ信号）ｂ、アクセルペダルの踏込量またはスロットルバルブ３２の開度をアクセル開度（いわば、要求負荷）として検出するセンサから出力されるアクセル開度信号ｃ、気筒１を内包するシリンダブロックの振動の大きさを検出するノックセンサから出力されるノック信号ｄ、吸気通路３（特に、サージタンク３３）内の吸気温及び吸気圧を検出する温度・圧力センサから出力される吸気温・吸気圧信号ｅ、機関の冷却水温を検出する水温センサから出力される冷却水温信号ｆ、シフトレバーのレンジを知得するためのセンサ（または、シフトポジションスイッチ）から出力されるシフトレンジ信号ｇ、吸気カムシャフトまたは排気カムシャフトの複数のカム角にてカム角センサから出力されるカム角信号（Ｇ信号）ｈ等が入力される。
【００１８】
出力インタフェースからは、点火プラグ１２のイグナイタに対して点火信号ｉ、インジェクタ１１に対して燃料噴射信号ｊ、スロットルバルブ３２に対して開度操作信号ｋ、ＥＧＲバルブ２３に対して開度操作信号ｌ等を出力する。
【００１９】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミング、要求ＥＧＲ率（または、ＥＧＲ量）といった各種運転パラメータを決定する。運転パラメータの決定手法自体は、既知のものを採用することが可能である。ＥＣＵ０は、運転パラメータに対応した各種制御信号ｉ、ｊ、ｋ、ｌを出力インタフェースを介して印加する。
【００２０】
また、ＥＣＵ０は、ノックセンサを介して取得されるノック信号ｄを参照して、各気筒１の膨張行程におけるノッキングの有無を、各気筒１毎に個別に判定する。ノッキングの有無の判定にあたり、ＥＣＵ０は予め、統計処理によりノック判定値を算定しておく。具体的には、ノッキングが起こっていないと思しき状況下で、気筒１の膨張行程中のシリンダブロックの振動をノックセンサを介してサンプリングし、ノック信号ｄを得る。そして、このノック信号ｄのサンプリング値のある期間内の時系列から、平均値及び標準偏差、ひいてはノック判定値を算出する。平均値をＸ、標準偏差をσとおくと、ノック判定値Ｊは、
Ｊ＝Ｘ＋Ｕσ
として求められる。上式における係数Ｕは、そのときの運転領域、即ちエンジン回転数及び要求負荷に応じて設定する。係数Ｕを、空燃比の高低や要求ＥＧＲ率等に応じて変えるようにしてもよい。
【００２１】
ノック判定値Ｊは、各気筒１毎に個別に求めてもよいし、全気筒１で共通のものとしてもよい。ノック判定値Ｊを各気筒１毎に個別のものとする場合、ある気筒１についてノック判定値Ｊを求めるときに、その気筒１の膨張行程中に検出されたノック信号ｄのサンプリング値のみを基に平均値Ｘ及び標準偏差σを算出して、それらＸ及びσを上式に代入する。ＥＣＵ０は、得られた係数Ｕ及びノック判定値Ｊを、メモリに記憶保持する。
【００２２】
その上で、ＥＣＵ０は、ノックセンサが出力するノック信号ｄの現在のサンプリング値（現在の振動の強度）を、ノック判定値Ｊと比較する。即ち、気筒１の膨張行程中にノックセンサを介して検出されたノック信号ｄのサンプリング値がノック判定値Ｊを上回ったならば、当該気筒１にてノッキングが起こったと判定する。逆に、ノック信号ｄのサンプリング値がノック判定値Ｊ以下であるならば、当該気筒１にてノッキングは起こっていないと判定する。
【００２３】
しかして、本実施形態のＥＣＵ０は、各気筒１に充填される混合気への点火タイミングを決定するに際し、各気筒１毎のベース点火タイミングに、各気筒１におけるノッキングの有無の判定結果に基づいて増減調整される各気筒１個別の遅角補正（リタード）量を加味するものとしている。
【００２４】
ベース点火タイミングは、遅角補正を加えていない点火タイミング、いわば最も進角した（限界の）点火タイミングである。ベース点火タイミングは、運転領域［エンジン回転数，負荷］に応じて設定する。内燃機関の負荷は、アクセル開度、燃料噴射量、気筒１に充填される吸気量、サージタンク３３内圧力等によって示唆される。
【００２５】
図２は、ある吸気量や燃料噴射量その他の運転パラメータを仮定した場合の、点火タイミングと内燃機関が出力するトルクとの関係を表している。出力トルクは、点火タイミングを圧縮上死点後のＭＢＴ（Ｍｉｎｉｍｕｍ  ａｄｖａｎｃｅ  ｆｏｒ  Ｂｅｓｔ  Ｔｏｒｑｕｅ）点としたときに最大化し、点火タイミングをＭＢＴ点から遅角（または、進角）させるほど低下する。因みに、図２では、点火タイミングとエンジントルクとの特性曲線及びＭＢＴ点を一つだけ描いているが、全ての気筒１でこの特性曲線やＭＢＴ点が一致しているとは限られない。
【００２６】
運転領域如何によっては、点火タイミングをＭＢＴ点とするとノッキングが頻発して、内燃機関にダメージを与えることとなる。よって、通常、ノッキングを引き起こす運転領域においては、ベース点火タイミングを、ＭＢＴ点からある程度遅角したタイミングに設定する。
【００２７】
図２に示しているように、本実施形態では、各気筒１毎に個別にベース点火タイミングを設定することとしている。即ち、各気筒１のベース点火タイミングは常に共通ではない。図２中、符号Ｔ１で指し示しているのが第一気筒１のベース点火タイミング、符号Ｔ２で指し示しているのが第二気筒１のベース点火タイミング、符号Ｔ３で指し示しているのが第三気筒１のベース点火タイミングである。
【００２８】
これらのベース点火タイミングは、各気筒１のノッキングの起こしやすさを適合評価により求めた上、その評価結果に基づいて定めておく。これらのベース点火タイミングは、各気筒１に導入されるＥＧＲガス量のばらつきをも考慮に入れたものとなる。
【００２９】
なお、ノッキングを引き起こすおそれの乏しい運転領域においては、ベース点火タイミングをＭＢＴ点近傍に設定することが許される。ノッキングが起こらないことがほぼ確実な運転領域では、各気筒１のベースタイミングがＭＢＴ点近傍に集まり、互いにほぼ一致することがあり得る。
【００３０】
本実施形態のＥＣＵ０のメモリには予め、内燃機関の運転領域及び気筒１に充填される吸気について要求されるＥＧＲ率（または、ＥＧＲガス量）と、設定するべき各気筒１毎のベース点火タイミングとの関係を規定したマップデータが格納されている。ＥＣＵ０は、現在の運転領域及び要求ＥＧＲ率をキーとして当該マップを検索することで、各気筒１に設定するベース点火タイミングを知得する。
【００３１】
因みに、要求ＥＧＲ率は、基本的に、そのときの内燃機関の要求負荷に応じて設定される。要求ＥＧＲ率は、内燃機関が中負荷で運転しているときに最も高く、中負荷からより低い負荷またはより高い負荷になるほど低くなる。アイドリング中やアイドリングに近い低負荷運転時、またはアクセル開度が全開に近い高負荷運転時には、要求ＥＧＲ率が０となる。また、内燃機関の暖機中や、内燃機関により駆動される補機（発電機や、エアコンディショナ用の冷媒を圧縮するコンプレッサ等）の負荷が高いときには、要求ＥＧＲ率が低下する。
【００３２】
そして、本実施形態のＥＣＵ０は、各気筒１毎のノック判定の結果、気筒１にてノッキングが起こっているのであれば、当該気筒１における次回以降の点火タイミングに加える遅角補正量を、ノッキングが起こらなくなるまで所定量ずつ増してゆく。逆に、ノッキングが起こっていないのであれば、当該気筒１における次回以降の点火タイミングに加える遅角補正量を、ノッキングが起こる直前まで所定量ずつ減じてゆき、以てエンジントルクを増大させ、燃費の向上を追求する。
【００３３】
総じて、図２に示しているように、各気筒１の点火タイミングは、各気筒１毎に個別のベース点火タイミングに、各気筒１毎に個別の遅角補正量を加味したものとなる。図２中、符号Ｒ１で指し示しているのが第一気筒１の遅角補正量、符号Ｒ２で指し示しているのが第二気筒１の遅角補正量、符号Ｒ３で指し示しているのが第三気筒１の遅角補正量である。第一気筒１について決定される点火タイミングはＳ１、第二気筒１について決定される点火タイミングはＳ２、第三気筒１について決定される点火タイミングはＳ３となる。
【００３４】
本実施形態では、複数の気筒１を有し排気ガス再循環装置２が付帯した内燃機関を制御するものであって、各気筒１毎に個別にベース点火タイミングＴ１、Ｔ２、Ｔ３を設定し、各気筒１の膨張行程が訪れる都度ノッキングの有無を検知し、当該気筒１にてノッキングが起こった場合には増加しノッキングが起こらなかった場合には減少する各気筒１毎に個別の遅角補正量Ｒ１、Ｒ２、Ｒ３を前記ベース点火タイミングＴ１、Ｔ２、Ｔ３に加味して、当該気筒１における次回の膨張行程のための点火タイミングＳ１、Ｓ２、Ｓ３を決定することを特徴とする内燃機関の制御装置０を構成した。
【００３５】
本実施形態によれば、内燃機関の各気筒１の点火タイミングの最適化を図ることができる。即ち、ノッキングを起こすおそれの比較的高い気筒１については点火タイミングを遅角しつつ、ノッキングを起こすおそれの比較的低い気筒１については点火タイミングを進角できる。従って、ノッキングを確実に抑止しながら、不必要な点火タイミングを遅角化を回避することが可能であり、エンジントルクが犠牲とならず、効率及び燃費の良化に奏効する。
【００３６】
なお、本発明は以上に詳述した実施形態に限られるものではない。例えば、ベース点火タイミングを設定するにあたり、各気筒１に流入するＥＧＲガス量を個別に計測または推定し、その計測または推定した気筒１毎のＥＧＲガス量に応じて、各気筒１のベース点火タイミングを調整するものとしてもよい。この場合には、制御装置たるＥＣＵ０のメモリに、内燃機関の運転領域及び気筒１毎のＥＧＲガス量と、設定するべき気筒１毎のベース点火タイミングとの関係を規定したマップデータを格納しておき、現在の運転領域及び各気筒１毎のＥＧＲガス量をキーとして当該マップを検索することで、各気筒１に設定するベース点火タイミングを知得するものとする。
【００３７】
また、各気筒１の膨張行程におけるノッキングの有無の検知手段は、振動式のノックセンサに限定されない。混合気の燃焼の際に点火プラグ１２の電極を流れるイオン電流の信号波形を参照する手法や、気筒１の燃焼室内圧力（筒内圧）を参照する手法を採用することも可能である。
【００３８】
各気筒１のベース点火タイミングは、必ず気筒１毎に個別に設定されるとは限られず、図３に示すように、全気筒１で共通していることがある。この場合のベース点火タイミングは、ノッキングを引き起こすリスクの最も小さい気筒１がノッキングを起こさない限界まで進角させた（できる限りＭＢＴ点に近い）タイミングＴＢに設定する。ベース点火タイミングＴＢもまた、上記実施形態と同様、現在の内燃機関の運転領域及び要求ＥＧＲ率等に応じて設定する。
【００３９】
その上で、制御装置たるＥＣＵ０が、複数の気筒１の各々について膨張行程毎にノッキングの有無を検知し、ノッキングが起こった場合には増加しノッキングが起こらなかった場合には減少する遅角補正量Ｒ１、Ｒ２、Ｒ３を前記ベース点火タイミングＴＢに加味することで、各気筒１における次回の膨張行程のための点火タイミングＳ１、Ｓ２、Ｓ３を決定する。このようなものであっても、各気筒１毎に独立して点火タイミングＳ１、Ｓ２、Ｓ３を最適化することができ、ノッキングを防ぎながら熱機械変換効率を高め、エンジントルクの向上及び／または燃費の良化を実現できる。
【００４０】
その他各部の具体的構成は、本発明の趣旨を逸脱しない範囲で種々変形が可能である。
【産業上の利用可能性】
【００４１】
本発明は、車両等に搭載される内燃機関の点火制御に適用することができる。
【符号の説明】
【００４２】
０…制御装置（ＥＣＵ）
１…気筒
１２…点火プラグ
Ｒ１、Ｒ２、Ｒ３…遅角補正量
Ｓ１、Ｓ２、Ｓ３…決定される点火タイミング
Ｔ１、Ｔ２、Ｔ３、ＴＢ…ベース点火タイミング
【図１】
2014109196.tif 000003
【図２】
2014109196.tif 000004
【図３】
2014109196.tif 000005